【手続補正書】
【提出日】平成20年9月22日(2008.9.22)
【手続補正１】
【補正対象書類名】明細書
【補正対象項目名】特許請求の範囲
【補正方法】変更
【補正の内容】
【特許請求の範囲】
【請求項１】  ドリルビットを衝撃ドリル組立体のケーシング内に保持するリテーナ装置であって、ケーシングは、中心軸線を有し、ドリルビットは、概ね円筒形のヘッドを有し、リテーナ装置は、中心軸線及び概ね該中心軸線に向かって突出した内側円周方向肩部分を備えた概ね環状の本体を有し、該本体は、本体中心軸線がケーシング中心軸線と実質的に同軸をなすようケーシング内に配置可能であり、肩は、本体がケーシング内に配置されているとき、ビットを少なくとも部分的にリテーナ本体内に収納保持するようビットヘッドと接触可能な第１の位置と、第１の位置から半径方向外方に間隔を隔てていて、ビットヘッドが本体を通って概ねケーシング中心軸線に沿う方向に変位できるようになった第２の位置との間で撓むことができることを特徴とするリテーナ装置。
【請求項２】  ビットヘッドは、概ねケーシング中心軸線から遠ざかり且つ概ねケーシング中心軸線に沿う第１の方向に向くように概ね半径方向に延びる外側円周方向解放表面を有し、リテーナ肩は、概ね本体中心軸線の方へ且つ概ね第１の軸方向から遠ざかる方へ向くように概ね半径方向に延びる円周方向内側停止表面を有し、肩は、停止表面がドリル組立体の作動中、第１の軸方向におけるビットの変位を制限するよう解放表面と接触し、他方、概ね第１の軸方向に向いた少なくとも第１の大きさの引き抜き力をビットに加えると、解放表面は、ビットヘッドがリテーナ本体中を第１の軸方向に変位しているとき、肩を第２の肩位置に向かって半径方向外方に撓ませるように停止表面に当たった状態で摺動できるよう構成されていることを特徴とする請求項１記載のリテーナ装置。
【請求項３】  ビットヘッドは、概ねケーシング中心軸線から遠ざかり且つ概ねケーシング中心軸線に沿って逆の第２の方向に向くように概ね半径方向に延びる外側円周方向挿入表面を有し、リテーナ肩は、概ね本体中心軸線の方へ且つ概ね第２の軸方向から遠ざかる方へ向くように概ね半径方向に延びる円周方向内側引込み表面を有し、肩は、概ね第２の軸方向に向いた少なくとも第２の大きさの挿入力をビットに加えると、挿入表面は、ビットヘッドがリテーナ本体中を第２の軸方向に変位しているとき、肩を第２の肩位置に向かって半径方向外方に撓ませるように引込み表面に当たった状態で摺動できるよう構成されていることを特徴とする請求項２記載のリテーナ装置。
【請求項４】  肩停止表面は、本体中心軸線に対し第１の鋭角をなし、ヘッドの解放表面は、ケーシング中心軸線に対して第２の鋭角をなし、第１の角度と第２の角度は、実質的に同一であって第１の角度値を持ち、肩の引込み表面は、本体中心軸線に対し第３の鋭角をなし、ヘッドの挿入表面は、ケーシング中心軸線に対して第４の鋭角をなし、第３の角度と第４の角度は、実質的に同一であって、第２の角度値を持ち、第１の角度値は、第２の角度値よりも大きくて引込み力の第１の大きさが挿入力の第２の大きさよりも大きいことを特徴とする請求項３記載のリテーナ装置。
【請求項５】  ドリルケーシングは、内側円周方向表面及び内側円周方向表面からケーシング内へ円周方向に延びる環状凹部を有し、リテーナ本体は、本体中心軸線を包囲する外側円周方向表面を有し、リテーナ装置は、本体の外側円周方向表面の周りに配置され、ケーシング凹部内に少なくとも部分的に配置可能な概ね環状の心出し装置を更に有し、心出し装置は、本体中心軸線がケーシング中心軸線と実質的に同軸をなすようにリテーナ本体をケーシング内に概ね心出しするよう構成されていることを特徴とする請求項１記載のリテーナ装置。
【請求項６】  ドリル組立体は、ケーシング内に配置されていて、軸方向端部を備えたドリルチャックを更に有し、ドリルケーシング凹部は、内側円周方向表面及び半径方向表面を更に有し、リテーナ本体は、互いに反対側に位置する第１の軸方向端部と第２の軸方向端部を有し、第２の端部は、チャックの半径方向端部に当接して配置でき、リテーナ装置は、外側円周方向表面及び２つの互いに反対側に位置する軸方向端部を備えた概ね環状のスペーサを更に有し、スペーサは、スペーサの外側円周方向表面が凹部の内側円周方向表面に当接して配置できるように構成されており、スペーサの軸方向端部のうちの一方は、凹部の半径方向表面に当接した状態で配置でき、スペーサの軸方向端部のうちの他方は、本体の第１の軸方向端部に当接して配置でき、リテーナ本体がケーシング内で所望の位置に概ね保持されるようになっていることを特徴とする請求項５記載のリテーナ装置。
【請求項７】  ドリル組立体は、ケーシング内に配置されていて、軸方向端部を備えたドリルチャックを更に有し、ドリルケーシングは、内側円周方向表面及び内側円周方向表面からケーシング内へ円周方向に延びていて、内側円周方向表面及び半径方向表面を備えた環状凹部を有し、リテーナ本体は、互いに反対側に位置した軸方向端部を有すると共に外側円周方向表面を備えたスペーサ部分を更に有し、スペーサ部分は、スペーサ外側円周方向表面をスペーサ本体が概ねケーシング内に心出しされ、本体中心軸線がケーシング中心軸線と実質的に同軸をなすように凹部の内側円周方向表面に当接した状態で配置でき、本体の２つの軸方向端部のうちの一方は、凹部の半径方向表面に当接した状態で配置でき、本体の２つの軸方向端部のうちの他方は、チャックの半径方向端部に当接した状態で配置でき、本体がケーシング内の所望の位置に概ね保持されるようになっていることを特徴とする請求項１記載のリテーナ装置。
【請求項８】  リテーナ本体は、弾性材料及びエラストマー材料のうちの一方で形成され、肩が撓むと本体内に生じる材料の力が、肩を概ね第１の肩位置に向かって付勢するようになっていることを特徴とする請求項１記載のリテーナ装置。
【請求項９】  ドリル組立体であって、中空内部及び中心軸線を備えたケーシングと、概ね円筒形のヘッドを備えたドリルビットと、ケーシング内部に設けられ、概ねケーシング中心軸線に向かって突出した内側円周方向肩を供えた概ね環状のリテーナとを有し、肩は、リテーナがケーシング内に配置されているとき、ビットを少なくとも部分的にリテーナ本体内に収納保持するようビットヘッドと接触可能な第１の位置と、第１の位置から半径方向外方に間隔を隔てていて、ビットヘッドが本体を通って概ねケーシング中心軸線に沿う方向に変位できるようになった第２の位置との間で撓むことができることを特徴とするドリル組立体。
【請求項１０】  ビットヘッドは、概ねケーシング中心軸線から遠ざかり且つ概ねケーシング中心軸線に沿う第１の方向に向くように概ね半径方向に延びる外側円周方向解放表面を有し、リテーナ肩は、概ね本体中心軸線の方へ且つ概ね第１の軸方向から遠ざかる方へ向くように概ね半径方向に延びる円周方向内側停止表面を有し、肩は、停止表面がドリル組立体の作動中、第１の軸方向におけるビットの変位を制限するよう解放表面と接触し、他方、概ね第１の軸方向に向いた少なくとも第１の大きさの引き抜き力をビットに加えると、解放表面は、ビットヘッドがリテーナ本体中を第１の軸方向に変位しているとき、肩を第２の肩位置に向かって半径方向外方に撓ませるように停止表面に当たった状態で摺動できるよう構成されていることを特徴とする請求項９記載のドリル組立体。
【請求項１１】  ビットヘッドは、概ねケーシング中心軸線から遠ざかり且つ概ねケーシング中心軸線に沿って逆の第２の方向に向くように概ね半径方向に延びる外側円周方向挿入表面を有し、リテーナ肩は、概ね本体中心軸線の方へ且つ概ね第２の軸方向から遠ざかる方へ向くように概ね半径方向に延びる円周方向内側引込み表面を有し、肩は、概ね第２の軸方向に向いた少なくとも第２の大きさの挿入力をビットに加えると、挿入表面は、ビットヘッドがリテーナ本体中を第２の軸方向に変位しているとき、肩を第２の肩位置に向かって半径方向外方に撓ませるように引込み表面に当たった状態で摺動できるよう構成されていることを特徴とする請求項１０記載のドリル組立体。
【請求項１２】  肩停止表面は、本体中心軸線に対し第１の鋭角をなし、ヘッドの解放表面は、ケーシング中心軸線に対して第２の鋭角をなし、第１の角度と第２の角度は、実質的に同一であって第１の角度値を持ち、肩の引込み表面は、本体中心軸線に対し第３の鋭角をなし、ヘッドの挿入表面は、ケーシング中心軸線に対して第４の鋭角をなし、第３の角度と第４の角度は、実質的に同一であって、第２の角度値を持ち、第１の角度値は、第２の角度値よりも大きくて引込み力の第１の大きさが挿入力の第２の大きさよりも大きいことを特徴とする請求項１１記載のドリル組立体。
【請求項１３】  ケーシングは、内側円周方向表面及び内側円周方向表面からケーシング内へ円周方向に延びる環状凹部を有し、リテーナは、ケーシング中心軸線を包囲する外側円周方向表面を有し、ドリル組立体は、リテーナの外側円周方向表面の周りに配置されると共にケーシング凹部内に少なくとも部分的に配置される概ね環状の心出し装置を更に有し、心出し装置は、リテーナを概ねケーシング中心軸線の周りに心出しするように構成されていることを特徴とする請求項９記載のドリル組立体。
【請求項１４】  ケーシング凹部は、内側円周方向表面及び半径方向表面を更に有し、リテーナは、２つの互いに反対側に位置する軸方向端部を有し、ドリル組立体は、外側円周方向表面及び２つの互いに反対側に位置する軸方向端部を備えた概ね環状のスペーサを更に有し、スペーサの外側円周方向表面は、凹部の内側円周方向表面に当接して配置できるように構成されており、スペーサの軸方向端部のうちの一方は、凹部の２つの半径方向表面の一方に当接した状態で配置でき、スペーサの軸方向端部のうちの他方は、リテーナの２つの軸方向端部のうち近いほうの軸方向端部に当接して配置でき、リテーナがケーシング内でケーシング中心軸線に沿う所望の位置に概ね保持されるようになっていることを特徴とする請求項１３記載のドリル組立体。
【請求項１５】  ケーシングは、内側円周方向表面及び内側円周方向表面からケーシング内へ円周方向に延びていて、内側円周方向表面及び２つの互いに反対側に位置する半径方向表面を備えた環状凹部を有し、リテーナは、外側円周方向表面及び２つの互いに反対側に位置する軸方向端部を備えたスペーサ部分を更に有し、スペーサ部分は、スペーサ部分の外側円周方向表面が凹部の内側円周方向表面に当接して配置されると共にスペーサ部分の２つの軸方向端部がそれぞれ凹部の２つの半径方向表面のうち近いほうの半径方向表面に別々に当接して配置されるよう構成されており、リテーナが、概ねケーシング中心軸線の周りに心出しされると共に概ねケーシング内の所望の位置に保持されるようになっていることを特徴とする請求項９記載のドリル組立体。
【請求項１６】  リテーナは、弾性材料及びエラストマー材料のうちの一方で形成され、肩が撓むと本体内に生じる材料の力が、肩を概ね第１の肩位置に向かって付勢するようになっていることを特徴とする請求項９記載のドリル組立体。
【請求項１７】  ドリルビットを衝撃ドリルのケーシング内に保持するリテーナ装置であって、ケーシングは、中心軸線を有し、ドリルビットは、ヘッドを有し、リテーナ装置は、中心軸線及び概ね該中心軸線に向かって延びる内側円周方向肩を備えた概ね環状の本体を有し、該本体は、本体中心軸線がケーシング中心軸線と実質的に同軸をなすようケーシング内に配置可能であり、肩は、ビットをケーシング内に少なくとも部分的に保持するようビットと接触可能であり、本体がケーシング内に配置されているとき、ビットが本体を通って概ねケーシング中心軸線に沿う方向に変位できるよう本体中心軸線に対して概ね半径方向外方に向いた方向に撓むことができることを特徴とするリテーナ装置。
【請求項１８】  肩は、ビットヘッドと接触可能な第１の半径方向内方の位置と、ビットヘッドが肩の内面に当接して摺動できる第２の半径方向外方の位置との間で撓むことができることを特徴とする請求項１７記載のリテーナ装置。
【請求項１９】  リテーナ本体は、弾性材料及びエラストマー材料のうちの一方で形成され、肩が撓むと本体内に生じる材料の力が、肩を概ね第１の肩位置に向かって付勢するようになっていることを特徴とする請求項１７記載のリテーナ装置。